(57)【要約】【課題】効率的に浴室内全体の洗浄を行う浴室洗浄装置を提供する。【解決手段】浴室の洗浄運転を作動させる洗浄運転スイッチ１５を備え、ルーバー７は、吹き出し口に接する一辺を軸にして１８０°向きが変えられる構成を有した浴室洗浄装置であって、ミスト噴霧部１８は、浴槽・床・壁それぞれに対して専用となるように備えられ、ミスト噴霧部１８のうち浴槽専用ミスト噴霧部８は、送風口４の外周側に位置し、浴槽全体にミストが当たる噴霧角度でミストを噴霧するものであり、ミスト噴霧部１８のうち床専用ミスト噴霧部１０は、洗い場天井の中心に位置し、床全体にミストが当たる噴霧角度でミストを噴霧するものであり、ミスト噴霧部１８のうち壁専用ミスト噴霧部９は、送風口４の内側に位置し、ルーバー７の向きが変わることでミストが浴室全体へ送風される。【選択図】図１
2020049033.tif 000002
【特許請求の範囲】
【請求項１】
吸気口と送風口と排気口を有する本体ケースと、
前記本体ケース内の前記吸気口と前記送風口を結ぶ風路に設けた加熱手段および送風ファンと、
送風口に備えたルーバーと、
前記吸気口と前記排気口を結ぶ風路に設けた排気ファンと、
本体と連動して液体を噴霧するミスト噴霧部と、
浴室内湿度を検知する湿度センサーと、
浴室の洗浄運転を作動させる洗浄運転スイッチとを備え、
ルーバーは吹き出し口に接する辺を軸にして１８０°変えられる構成を有した浴室洗浄装置であり、
ミスト噴霧部は浴槽・床・壁それぞれに対して専用となるように備えられ、
浴槽専用ミスト噴霧部は、前記ルーバーの外側に位置し、浴槽全体にミストが当たる噴霧角度であり、
床専用ミスト噴霧部は、洗い場天井の中心に位置し、床全体にミストが当たる噴霧角度であり、
壁専用ミスト噴霧部は、前記ルーバーの内側に位置し、
ルーバーの向きが変わることでミストが浴室全体へ送風されるよう構えられていることを特徴とした浴室洗浄装置。
【請求項２】
洗浄前に湿度センサーにより湿度を測定し、加熱手段、ミスト噴霧部、および送風ファンにより、湿度８０％以上の環境を作り、洗浄を行うことを特徴とする請求項１記載の浴室洗浄装置。
【発明の詳細な説明】
【技術分野】
【０００１】
本発明は、浴室壁面の防汚と洗浄性向上に関するものである。
【背景技術】
【０００２】
従来、浴室内を洗浄することを目的として浴室壁面に洗浄手段を取り付け、洗浄手段は浴室内の浴槽と洗い場に散水と洗剤の噴霧を行い、その後換気することで浴室内をある程度乾燥した状態で洗浄を終了できる技術が知られている（例えば、特許文献１を参照）。
【先行技術文献】
【特許文献】
【０００３】
【特許文献１】特開平１０−２１６０６８号公報
【発明の概要】
【発明が解決しようとする課題】
【０００４】
このような従来の浴室洗浄システムでは、どの浴室部位においても同様の洗浄手段で洗浄を行っていたため、汚れ落ちにムラができるという課題を有していた。
【０００５】
そこで、本発明は、効率的に浴室内全体の洗浄を行うことを目的とする。
【課題を解決するための手段】
【０００６】
そして、この目的を達成するために、本発明に係る浴室洗浄装置は、吸気口と送風口と排気口を有する本体ケースと、前記本体ケース内の前記吸気口と前記送風口を結ぶ風路に設けた加熱手段および送風ファンと、送風口に備えたルーバーと、前記吸気口と前記排気口を結ぶ風路に設けた排気ファンと、本体と連動して液体を噴霧するミスト噴霧部と、浴室内湿度を検知する湿度センサーと、浴室の洗浄運転を作動させる洗浄運転スイッチとを備え、前記ルーバーは、吹き出し口に接する一辺を軸にして１８０°向きが変えられる構成を有した浴室洗浄装置であり、前記ミスト噴霧部は、浴槽・床・壁それぞれに対して専用となるように備えられ、前記ミスト噴霧部のうち浴槽専用ミスト噴霧部は、前記送風口の外周側に位置し、浴槽全体にミストが当たる噴霧角度でミストを噴霧するものであり、前記ミスト噴霧部のうち床専用ミスト噴霧部は、洗い場天井の中心に位置し、床全体にミストが当たる噴霧角度でミストを噴霧するものであり、前記ミスト噴霧部のうち壁専用ミスト噴霧部は、前記送風口の内側に位置し、前記ルーバーの向きが変わることでミストが浴室全体へ送風されることを特徴とした浴室洗浄装置であり、これにより所期の目的を達成するものである。
【発明の効果】
【０００７】
本発明によれば、吸気口と送風口と排気口を有する本体ケースと、前記本体ケース内の前記吸気口と前記送風口を結ぶ風路に設けた加熱手段および送風ファンと、送風口に備えたルーバーと、前記吸気口と前記排気口を結ぶ風路に設けた排気ファンと、本体と連動して液体を噴霧するミスト噴霧部と、浴室内湿度を検知する湿度センサーと、浴室の洗浄運転を作動させる洗浄運転スイッチとを備え、前記ルーバーは、吹き出し口に接する一辺を軸にして１８０°向きが変えられる構成を有した浴室洗浄装置であり、前記ミスト噴霧部は、浴槽・床・壁それぞれに対して専用となるように備えられ、前記ミスト噴霧部のうち浴槽専用ミスト噴霧部は、前記送風口の外周側に位置し、浴槽全体にミストが当たる噴霧角度でミストを噴霧するものであり、前記ミスト噴霧部のうち床専用ミスト噴霧部は、洗い場天井の中心に位置し、床全体にミストが当たる噴霧角度でミストを噴霧するものであり、前記ミスト噴霧部のうち壁専用ミスト噴霧部は、前記送風口の内側に位置し、前記ルーバーの向きが変わることでミストが浴室全体へ送風されることを特徴とした浴室洗浄装置であり、これにより浴室全体をムラなく洗浄することができる浴室洗浄装置を提供することができる。
【図面の簡単な説明】
【０００８】
【図１】本発明の浴室洗浄装置の概略図
【図２】浴室洗浄運転時の制御を示すフローチャート
【発明を実施するための形態】
【０００９】
本発明の請求項１に係る浴室洗浄装置は、吸気口と送風口と排気口を有する本体ケースと、前記本体ケース内の前記吸気口と前記送風口を結ぶ風路に設けた加熱手段および送風ファンと、送風口に備えたルーバーと、前記吸気口と前記排気口を結ぶ風路に設けた排気ファンと、本体と連動して液体を噴霧するミスト噴霧部と、浴室内湿度を検知する湿度センサーと、浴室の洗浄運転を作動させる洗浄運転スイッチとを備え、前記ルーバーは、吹き出し口に接する一辺を軸にして１８０°向きが変えられる構成を有した浴室洗浄装置であり、前記ミスト噴霧部は、浴槽・床・壁それぞれに対して専用となるように備えられ、前記ミスト噴霧部のうち浴槽専用ミスト噴霧部は、前記送風口の外周側に位置し、浴槽全体にミストが当たる噴霧角度でミストを噴霧するものであり、前記ミスト噴霧部のうち床専用ミスト噴霧部は、洗い場天井の中心に位置し、床全体にミストが当たる噴霧角度でミストを噴霧するものであり、前記ミスト噴霧部のうち壁専用ミスト噴霧部は、前記送風口の内側に位置し、前記ルーバーの向きが変わることでミストが浴室全体へ送風されることを特徴とした浴室洗浄装置である。
【００１０】
これにより、汚れの強い床・浴槽に対しては、それぞれ直上からミスト噴霧を行うことで、汚れを落とすのに十分な水撃圧を与えることができ、洗浄が可能となり、汚れの弱い壁は、送風ファンにより誘因しやすいミストを浴室内全体へ浮遊させることにより、ミスト噴霧では届きにくい壁の隅までミストを届けることができ、洗浄可能となる。
【００１１】
また、請求項２に係る浴室洗浄装置は、洗浄前に湿度センサーにより湿度を測定し、加熱手段、ミスト噴霧部、および送風ファンにより、湿度８０％以上の環境を作り、洗浄を行うことを特徴とする。
【００１２】
これにより、壁専用ミスト噴霧部から噴霧したミストが壁に届く前に気化することがなく、また壁に届く前に下へ落ちてしまうこともなく、壁の隅々まで届けることができ、洗浄可能となる。
【００１３】
以下、本発明の実施の形態について図面を参照しながら説明する。
【００１４】
（実施の形態１）
図１に示すように、浴室洗浄装置１は、浴室内に下面を開口して設置する本体ケース２を備えている。
【００１５】
本体ケース２は、下面に、吸気口３と送風口４を有し、本体ケース２内の吸気口３と送風口４を結ぶ風路には、加熱手段５と送風ファン６を備えている。また、本体ケース２の側面には、排気口１１を有し、本体ケース２内の吸気口３と排気口１１を結ぶ風路には排気ファン１２を備えている。
【００１６】
送風口４の浴室内側にはルーバー７を備え、送風口４の外周側には浴槽専用ミスト噴霧部８を備え、送風口４の内側には壁専用ミスト噴霧部９を備えている。
【００１７】
また、図２に示すように、本体ケース２とは別体として洗い場直上の浴室１６の天井に床専用ミスト噴霧部１０を備えている。
【００１８】
つまり、浴室洗浄装置１は、ミスト噴霧部１８として、浴槽専用ミスト噴霧部８と壁専用ミスト噴霧部９と床専用ミスト噴霧部１０を備えている。
【００１９】
また、浴室洗浄装置１は、吸気口３に浴室内湿度を検知する湿度センサー１３を有し、前記加熱手段５と前記湿度センサー１３を制御する制御手段１４を備えている。前記制御手段１４は、浴室の洗浄運転を作動させる洗浄運転スイッチ１５に接続している。
【００２０】
浴槽専用ミスト噴霧部８は、供給された液体を噴霧するものであり、本実施の形態に示す浴室洗浄装置１においては、効率的に浴槽１７を洗浄するために、浴槽１７内へある程度水撃圧が届くよう、吹出し粒径が１３０μｍ以上のスプラッシュミストを噴霧できるものが好ましい。また、浴槽専用ミスト噴霧部８は、一番距離が遠い浴槽の洗浄箇所での水撃圧が０．６Ｎ以上であるのが好ましく、浴槽１７の外側から内側へ水が流れるよう充円錐型もしくは空円錐型が好ましい。
【００２１】
壁専用ミスト噴霧部９は、供給された液体を噴霧するものであり、本実施の形態に示す浴室洗浄装置１においては、壁に届く前に気化することがなく、また壁に届く前に下へ落ちてしまうことなく、効率的に浴槽１７を洗浄するために、吹出し粒径が１００μｍ以下のミストを噴霧できるものが好ましい。
【００２２】
床専用ミスト噴霧部１０は、供給された液体を噴霧するものであり、本実施の形態に示す浴室洗浄装置１においては、効率的に浴槽１７を洗浄するために、床へある程度水撃圧が届くよう、吹出し粒径が１３０μｍ以上のミストを噴霧できるものが好ましい。また、床専用ミスト噴霧部１０は、一番距離が遠い浴槽１７内の洗浄箇所での水撃圧が０．６Ｎ以上であるものが好ましく、浴槽１７の外側から内側へ水が流れるよう充円錐型もしくは空円錐型が好ましい。
【００２３】
なお、ミスト噴霧部の前段に圧力調整手段を設け、噴霧部の水圧を調整し、噴霧流量をコントロールできるものが望ましいが、一般的な市水の水道圧の最低値が０．１ＭＰａのため、０．１ＭＰａのときに流量０．５Ｌ／ｍｉｎ以上を噴霧可能なミスト噴霧部を選定する。
【００２４】
また、噴霧されるミストの粒径は、レーザー光散乱法を用いた装置での測定・検証を行ったものであり、粒径サイズは、ザウダー粒径平均に基づくものとする。
【００２５】
上記構成において、図２を用いて浴室洗浄運転の動作を説明する。
【００２６】
入浴後に、使用者が洗浄運転スイッチ１５を入に設定すると、制御手段１４が稼働して湿度センサー１３の動作を制御し、浴室内湿度を測定する。
【００２７】
湿度が８０％以上でない場合、壁専用ミスト噴霧部９から浴室全体にミストが噴霧され、同時にルーバー７が０°〜１８０°の範囲で方向を変えながら、浴室全体にミストを拡散させて、湿度を上げる。湿度が８０％以上に達したら、まず本体に設置された壁専用ミスト噴霧部９から浴室全体に向かってミストが噴霧され、同時にルーバー７が壁四面にミストが届くよう風向を変え、浴室壁面全体にミストを噴霧する。次に浴槽専用ミスト噴霧部８と床専用ミスト噴霧部１０から浴槽全体と洗い場の床全体に向かってミストが噴霧される。一定時間ミストを噴霧した後、自動停止する。
【００２８】
ミスト洗浄後、加熱手段５を用いて吸気口３から入った空気を温めて温風を作り、その温風を送風ファン６で浴室内に送風することで、洗浄後の浴室内を素早く乾燥させることができる。
【００２９】
なお、排気口１１と排気ファン１２を用いて、浴室内の高湿度空気を排除し、外気を長時間取り入れて乾燥させても良い。
【００３０】
ミスト噴霧部１８での洗浄順序は、汚れを残さないために壁を洗浄した後に浴槽１７や床を洗浄することが好ましいが、順序が入れ替わっても良い。
【００３１】
乾燥は、タイマー運転を行い一定時間経過後に停止するのでもよいが、例えば水分量センサーを設置することで浴室壁面の水分量を測定し、乾燥したことを検知してから停止することもできる。
【産業上の利用可能性】
【００３２】
本発明に係る浴室洗浄装置は、浴室内の汚れをムラなく洗浄するものとして期待されるものであり、同様の機能を有するミストサウナ、浴室換気乾燥機にも有用である。
【符号の説明】
【００３３】
１    浴室洗浄装置
２    本体ケース
３    吸気口
４    送風口
５    加熱手段
６    送風ファン
７    ルーバー
８    浴槽専用ミスト噴霧部
９    壁専用ミスト噴霧部
１０    床専用ミスト噴霧部
１１    排気口
１２    排気ファン
１３    湿度センサー
１４    制御手段
１５    洗浄運転スイッチ
１６    浴室
１７    浴槽
１８    ミスト噴霧部
【図１】
2020049033.tif 000003
【図２】
2020049033.tif 000004